【手続補正書】
【提出日】平成16年9月24日(2004.9.24)
【手続補正１】
【補正対象書類名】明細書
【補正対象項目名】特許請求の範囲
【補正方法】変更
【補正の内容】
【特許請求の範囲】
【請求項１】
通信デバイスにおいて上位階層の複数のデータを下位階層の複数のデータに変換する方法であって、該複数のデータユニットは第１のユニットおよび第２のユニットを含み、各データユニットは規定のサイズになり、該第２のユニットは該第１のユニットの次のデータになり、該方法は、
該上位階層のデータの第１の一致する数ｍまたはその一部を第１のインジケータの第１の規定の数ｘを有する該下位階層の第１のユニットに提供する段階であって、ｍが１以上であり、ｘが０以上になる、段階と、
該上位階層のデータの第２の一致する数ｎまたはその一部を第２のインジケータの第２の規定の数ｙを有する該下位階層の第２のユニットに提供する段階であって、ｎが１以上であり、ｙが０以上になる、段階と
を包含し、
該第２のユニットの少なくとも１つの第２のインジケータが、該上位階層のｍ番目のデータの最後が該下位階層の第１のユニット内に提供されることを示し、該第１のユニット内の該ｍ番目のデータのための一致する第１のインジケータがない（ステップ７４）、方法。
【請求項２】
前記複数のデータがサービスデータユニット（ＳＤＵ）を含む、請求項１に記載の方法。
【請求項３】
前記第１のインジケータの各々が前記下位階層の第１のユニット内で終わる各サービスデータユニット（ＳＤＵ）の最後のオクテットを示す、請求項２に記載の方法。
【請求項４】
前記少なくとも１つの第２のインジケータは、最後のサービスデータユニット（ＳＤＵ）の最後の部分が前記複数のデータユニットの第１のユニット内に含まれることを示す長さインジケータである、請求項２に記載の方法。
【請求項５】
前記複数のデータユニットがプロトコルデータユニット（ＰＤＵ）を含む、請求項１に記載の方法。
【請求項６】
前記ＰＤＵが不承認モード（ＵＭＤ）ＰＤＵおよび承認モード（ＡＭＤ）ＰＤＵを含む、請求項５に記載の方法。
【請求項７】
前記下位階層がラジオリンクコントロール（ＲＬＣ）階層である、請求項１に記載の方法。
【請求項８】
前記第１のユニットの各インジケータが前記下位階層の第１のユニット内の前記上位階層の一致するデータの最後を示す長さインジケータである、請求項１に記載の方法。
【請求項９】
前記少なくとも１つの第２のインジケータが「０」の規定値を有する、請求項１に記載の方法。
【請求項１０】
前記少なくとも１つの第２のインジケータが前記第２のユニット内の第１の長さインジケータである、請求項１に記載の方法。
【請求項１１】
前記少なくとも１つの第２のインジケータは、前記上位階層のｍ番目のデータの最後のセグメントが前記複数のデータユニットの第１のユニットの最後で正確に終了するかまたは満たすことを示す、請求項１に記載の方法。
【請求項１２】
前記第１および第２のインジケータの各々が１オクテットのサイズを有する、請求項１に記載の方法。
【請求項１３】
前記上位階層のデータを含む段階後に前記少なくとも１つの第１および第２のユニットの残りの部分をパッディングする段階と、
パッディング情報を示す規定のインジケータを該少なくとも１つの第１および第２のユニットに提供する段階と
をさらに包含する、請求項１に記載の方法。
【請求項１４】
前記第１および第２のユニットの各々がヘッダをさらに含み、該ヘッダは、前記一致するデータユニットがデータ情報またはコントロール情報を含むかどうかを示すＤ／Ｃインジケータ、該一致するデータユニットのシーケンス番号、状態リポートを要求するためのポーリングインジケータ、および次の情報がデータまたは第１および第２のインジケータの一方であるかどうかを通知するためのヘッダ拡張インジケータをさらに含む、請求項１に記載の方法。
【請求項１５】
前記通信デバイスが基地局または移動局である、請求項１に記載の方法。
【請求項１６】
前記規定のサイズが固定されたサイズおよび可変サイズを有する前記上位階層のデータである、請求項１に記載の方法。
【請求項１７】
前記第１および第２のインジケータの各々が７ビットまたは１５ビットを含む、請求項１に記載の方法。
【請求項１８】
上位階層のデータユニットを少なくとも１つの固定されたサイズを有する下位階層の現在のデータユニットに変換する方法であって、該方法は、
該下位階層の現在のデータユニットの中へ該上位階層のデータユニットを含む段階と、
該上位階層のデータユニットの最後が該下位階層の現在のデータユニット内に含まれ、該上位階層のデータユニットの最後を示す第１のインジケータが該下位階層の現在のデータユニット内に含まれない場合、該下位階層の次のデータユニットの中に第２のインジケータを含む段階であって、該第２のインジケータは該上位階層のデータユニットの最後が該下位階層の現在のデータユニット内に含まれることを示す、段階と
を包含する、方法。
【請求項１９】
前記上位階層のデータユニットがサービスデータユニット（ＳＤＵ）である、請求項１８に記載の方法。
【請求項２０】
前記第１のインジケータが前記下位階層の現在のデータユニット内で終わる各サービスデータユニット（ＳＤＵ）の最後のオクテットを示す、請求項１９に記載の方法。
【請求項２１】
前記第２のインジケータは、前記下位階層の現在のデータユニット内にある前記最後のサービスデータユニット（ＳＤＵ）が前記上位階層のデータユニットの最後の部分を含み、かつ規定値を有することを示す長さインジケータである、請求項１９に記載の方法。
【請求項２２】
前記下位階層の現在のデータユニットおよび該下位階層の次のデータユニットがそれぞれプロトコルデータユニット（ＰＤＵ）である、請求項１８に記載の方法。
【請求項２３】
前記プロトコルデータユニット（ＰＤＵ）が不承認モード（ＵＭＤ）プロトコルデータユニット（ＰＤＵ）または承認モード（ＡＭＤ）プロトコルデータユニット（ＰＤＵ）である、請求項２２に記載の方法。
【請求項２４】
前記下位階層がラジオリンクコントロール（ＲＬＣ）階層である、請求項１８に記載の方法。
【請求項２５】
前記第１のインジケータが前記下位階層内の上位階層のデータの最後を示す長さインジケータである、請求項１８に記載の方法。
【請求項２６】
前記第２のインジケータが「０」として規定される、請求項１８に記載の方法。
【請求項２７】
前記第２のインジケータが前記下位階層の次のデータユニットにおける前記第１の長さインジケータとして配置される、請求項１８に記載の方法。
【請求項２８】
前記第２のインジケータは、前記上位階層のデータユニットの最後のセグメントが前記下位階層の現在のデータユニットの最後として正確に終了する、請求項１８に記載の方法。
【請求項２９】
前記上位階層のデータユニットを含む段階後、前記下位階層の次のデータユニットの残りの部分をパッディングする段階と、
該下位階層の次のデータユニットの中へ規定の第３のインジケータを含む段階であって、該規定の第３のインジケータがパッディングされた部分についてのパッディング情報を含む、段階と
をさらに包含する、請求項１８に記載の方法。
【請求項３０】
前記下位階層の現在のデータユニットおよび該下位階層の次のデータユニットが、データシーケンス番号を有するヘッダ部分、前記上位階層のデータユニットに関連した長さを示すインジケータ部分、および該上位階層のデータユニットを含むデータ部分を含む、請求項１８に記載の方法。
【請求項３１】
上位階層および下位階層を有する移動通信システムであって、該移動通信システムにおいて、該上位階層のデータユニットが少なくとも１つの固定されたサイズを有する下位階層の現在のデータユニットに変換される、該システムは、
該下位階層の現在のデータユニットの中に該上位階層のデータユニットを含むための手段と、
該上位階層のデータユニットの最後が該下位階層の現在のデータユニット内に含まれ、該上位階層のデータユニットの最後を含む第１のインジケータが該下位階層の現在のデータユニット内に含まれない場合、該下位階層の次のデータユニット中に第２のインジケータを含むための手段であって、該第２のインジケータは該上位階層のデータユニットの最後が該下位階層の現在のデータユニット内に含まれることを示す、手段と
を包含する、システム。
【請求項３２】
前記上位階層のデータユニットがサービスデータユニット（ＳＤＵ）である、請求項３１に記載のシステム。
【請求項３３】
前記第１のインジケータが前記下位階層の現在のデータユニット内で終了する各サービスデータユニット（ＳＤＵ）の最後のオクテットを示す、請求項３２に記載のシステム。
【請求項３４】
前記第２のインジケータは、前記下位階層の現在のデータユニット内の最後のサービスデータユニット（ＳＤＵ）が前記上位階層のデータユニットの最後の部分を含むことを示す長さインジケータである、請求項３２に記載のシステム。
【請求項３５】
前記下位階層の現在のデータユニットおよび該下位階層の次のデータユニットがそれぞれプロトコルデータユニット（ＰＤＵ）である、請求項３１に記載のシステム。
【請求項３６】
前記プロトコルデータユニット（ＰＤＵ）が不承認モード（ＵＭＤ）プロトコルデータユニット（ＰＤＵ）、または承認モード（ＡＭＤ）プロトコルデータユニット（ＰＤＵ）である、請求項３５に記載のシステム。
【請求項３７】
前記下位階層がラジオリンクコントロール（ＲＬＣ）階層である、請求項３１に記載のシステム。
【請求項３８】
前記第１のインジケータが、前記下位階層内の上位階層のデータユニットの最後を示す長さインジケータである、請求項３１に記載のシステム。
【請求項３９】
前記第２のインジケータが「０」として規定される、請求項３１に記載のシステム。
【請求項４０】
前記第２のインジケータが前記下位階層の次のデータユニットにおける前記第１の長さインジケータとして配置される、請求項３１に記載のシステム。
【請求項４１】
前記第２のインジケータは、前記上位階層のデータユニットの最後のセグメントが前記下位階層の現在のデータユニットの最後で正確に終了することを示す、請求項３１に記載のシステム。
【請求項４２】
前記下位階層の現在のデータユニット中に前記上位階層のデータユニットを含む後、該下位階層の現在のデータユニットの残りの部分をパッディングするための手段と、
該下位階層の現在のデータユニット中に規定の第３のインジケータを含むための手段であって、該規定の第３のインジケータが該パッディングされた部分に関するパッディング情報を含む、手段と
をさらに包含する、請求項３１に記載のシステム。
【請求項４３】
前記下位階層の現在のデータユニットおよび該下位階層の次のデータユニットの各々が、データシーケンス番号を有するヘッダ部分、前記上位階層のデータに関連した長さを含むインジケータ部分、および該上位階層のデータを含むデータ部分を含む、請求項３１に記載のシステム。